(57)【特許請求の範囲】
【請求項１】
端末に適用され、且つ、
ネットワーク側機器によって同報通信されたランダムアクセスリソース選択基準情報とランダムアクセスリソース情報を受信することと、
前記ランダムアクセスリソース情報から前記ランダムアクセスリソース選択基準情報に対応する目的ランダムアクセスリソース情報を特定することと、
前記目的ランダムアクセスリソース情報によって前記ネットワーク側機器にランダムアクセスリクエストを発することと、を含み、
前記のネットワーク側機器によって同報通信されたランダムアクセスリソース選択基準情報とランダムアクセスリソース情報を受信することは、
前記ネットワーク側機器が自体にサポートされるダウンリンク周波数範囲内の目的ダウンリンクキャリアにおいて同報通信した前記ランダムアクセスリソース選択基準情報とランダムアクセスリソース情報を受信することを含み、
第１受信電力と前記ランダムアクセスリソース選択基準情報によって前記ランダムアクセスリソース情報から前記目的ランダムアクセスリソース情報を特定することは、
前記ランダムアクセスリソース選択基準情報から前記端末が少なくとも一つのアップリンク周波数範囲または少なくとも一つのネットワークカバレッジランキングにおいて対応するランダムアクセスリソース選択基準閾値を取得することと、
前記第１受信電力および前記ランダムアクセスリソース選択基準閾値によって、前記ランダムアクセスリソース情報から前記目的ランダムアクセスリソース情報を特定することと、を含み、
前記ランダムアクセスリソース選択基準閾値の個数は、前記アップリンク周波数範囲の個数から「１」を減算した値、またはアップリンクキャリアの個数から「１」を減算した値、または前記ネットワークカバレッジランキングの個数から「１」を減算した値と等しい
ことを特徴とするランダムアクセス方法。
【請求項２】
前記ランダムアクセスリソース情報は、前記ネットワーク側機器によってサポートされる少なくとも一つのアップリンク周波数範囲内のキャリア周波数識別子、または前記少なくとも一つのアップリンク周波数範囲内のアップリンクキャリアの中心周波数を含み、
前記ランダムアクセスリソース選択基準情報は、端末が前記少なくとも一つのアップリンク周波数範囲または少なくとも一つのアップリンクキャリアまたは少なくとも一つのネットワークカバレッジランキングにおいて対応するランダムアクセスリソース選択基準閾値を含み、前記ランダムアクセスリソース選択基準閾値は、前記少なくとも一つのアップリンク周波数範囲のカバレッジ境界または少なくとも一つのアップリンクキャリアのカバレッジ境界または少なくとも一つのネットワークカバレッジランキングを表す
ことを特徴とする請求項１に記載のランダムアクセス方法。
【請求項３】
前記ダウンリンク周波数範囲内の目的ダウンリンクキャリアは、ネットワーク管理システムまたは前記ネットワーク側機器が前記ネットワーク側機器によってサポートされるダウンリンク周波数範囲内のキャリアのネットワークカバレッジの能力によって配置するものであり、及び／又は、
前記ダウンリンク周波数範囲内の目的ダウンリンクキャリアは、ネットワーク管理システムまたは前記ネットワーク側機器が前記ネットワーク側機器によってサポートされるダウンリンク周波数範囲内のキャリアの負荷状態によって配置するものである
ことを特徴とする請求項１に記載のランダムアクセス方法。
【請求項４】
前記の前記ランダムアクセスリソース情報から前記ランダムアクセスリソース選択基準情報に対応する目的ランダムアクセスリソース情報を特定することは、
前記端末が前記目的ダウンリンクキャリアにおいてダウンリンク参照信号またはダウンリンク同期信号を受信する第１受信電力を取得することと、
前記第１受信電力と前記ランダムアクセスリソース選択基準情報によって前記ランダムアクセスリソース情報から前記目的ランダムアクセスリソース情報を特定することと、を含み、
前記目的ランダムアクセスリソース情報は、前記目的アップリンクキャリアの周波数識別子を含み、前記ランダムアクセスリソース選択基準情報は、前記第１受信電力によって特徴付けられる
ことを特徴とする請求項１に記載のランダムアクセス方法。
【請求項５】
前記の前記第１受信電力と前記ランダムアクセスリソース選択基準閾値によって前記ランダムアクセスリソース情報から前記目的ランダムアクセスリソース情報を特定することは、
第１プリセット順に従って、前記第１受信電力が前記ランダムアクセスリソース選択基準閾値のうちの第１ランダムアクセスリソース選択基準閾値の以上であるか否かを順次に特定し、
前記第１受信電力が前記第１ランダムアクセスリソース選択基準閾値の以上であると、前記第１ランダムアクセスリソース選択基準閾値に対応するランダムアクセスリソース情報が前記目的ランダムアクセスリソース情報であることを特定することを含み、
そのうち、前記第１プリセット順は、前記第１ランダムアクセスリソース選択基準閾値の大きい順である
ことを特徴とする請求項１に記載のランダムアクセス方法。
【請求項６】
前記の前記第１受信電力と前記ランダムアクセスリソース選択基準閾値によって前記ランダムアクセスリソース情報から前記目的ランダムアクセスリソース情報を特定することは、
第２プリセット順に従って、前記第１受信電力が前記ランダムアクセスリソース選択基準閾値のうちの第１ランダムアクセスリソース選択基準閾値の以下であるか否かを順次に特定し、
前記第１受信電力が前記第１ランダムアクセスリソース選択基準閾値の以下であると、前記第１ランダムアクセスリソース選択基準閾値に対応するランダムアクセスリソース情報が前記目的ランダムアクセスリソース情報であることを特定することを含み、
そのうち、前記第２プリセット順は、前記第１ランダムアクセスリソース選択基準閾値の小さい順である
ことを特徴とする請求項１に記載のランダムアクセス方法。
【請求項７】
前記ランダムアクセスリソース選択基準情報は閾値シーケンスを含み、前記閾値シーケンスは複数の閾値要素を含み、各閾値要素は、前記端末が前記ネットワーク側機器によってサポートされる各アップリンク周波数範囲または各アップリンクキャリアまたは各ネットワークカバレッジランキングにおいて対応する電力レベルの全てのレベル組合せと一々対応し、各閾値要素は、前記端末がネットワーク側機器によってサポートされるアップリンク周波数範囲の個数またはアップリンクキャリアまたはネットワークカバレッジランキングでの電力レベルが前記ランダムアクセスリソース選択基準閾値において対応する第２ランダムアクセスリソース選択基準閾値を含み、
前記複数の閾値要素の個数は、ＡのＢ乗であり、Ａは、ネットワーク側機器によってサポートされるアップリンク周波数範囲またはアップリンクキャリアまたはネットワークカバレッジランキングの個数であり、Ｂは、端末が前記アップリンク周波数範囲またはアップリンクキャリアまたはネットワークカバレッジランキングでの電力レベルの個数であり、各閾値要素に含まれる第２ランダムアクセスリソース選択基準閾値の個数は、前記ネットワーク側機器によってサポートされるアップリンク周波数範囲の個数あるいはアップリンクキャリアまたはネットワークカバレッジランキングの個数から「１」を減算した値であり、
前記の前記第１受信電力と前記ランダムアクセスリソース選択基準閾値によって前記ランダムアクセスリソース情報から前記目的ランダムアクセスリソース情報を特定することは、
前記端末が前記少なくとも一つのアップリンク周波数範囲または少なくとも一つのアップリンクキャリアまたは少なくとも一つのネットワークカバレッジランキングでの電力レベルを取得することと、
前記電力レベルによって前記複数の閾値要素から目的閾値要素を特定することと、
前記第１受信電力および前記目的閾値要素によって前記ランダムアクセスリソース情報から目的ランダムアクセスリソース情報を特定することと、を含む
ことを特徴とする請求項１に記載のランダムアクセス方法。
【請求項８】
前記の前記第１受信電力と前記目的閾値要素によって前記ランダムアクセスリソース情報から前記目的ランダムアクセスリソース情報を特定することは、
第３プリセット順に従って、前記第１受信電力が前記目的閾値要素のうちの第２ランダムアクセスリソース選択基準閾値の以上であるか否かを順次に特定し、
前記第１受信電力が前記第２ランダムアクセスリソース選択基準閾値の以上であると、前記第２ランダムアクセスリソース選択基準閾値に対応するランダムアクセスリソース情報が前記目的ランダムアクセスリソース情報であることを特定することを含み、
そのうち、前記第３プリセット順は、前記第２ランダムアクセスリソース選択基準閾値の大きい順である
ことを特徴とする請求項７に記載のランダムアクセス方法。
【請求項９】
前記の前記第１受信電力と前記目的閾値要素によって前記ランダムアクセスリソース情報から前記目的ランダムアクセスリソース情報を特定することは、
第４プリセット順に従って、前記第１受信電力が前記目的閾値要素のうちの第２ランダムアクセスリソース選択基準閾値の以下であるか否かを順次に特定し、
前記第１受信電力が前記第２ランダムアクセスリソース選択基準閾値の以下であると、前記第２ランダムアクセスリソース選択基準閾値に対応するランダムアクセスリソース情報が前記目的ランダムアクセスリソース情報であることを特定することを含み、
そのうち、前記第４プリセット順は、前記第２ランダムアクセスリソース選択基準閾値の小さい順である
ことを特徴とする請求項７に記載のランダムアクセス方法。
【請求項１０】
端末に適用され、且つ、
ネットワーク側機器によって同報通信されるランダムアクセスリソース選択基準情報とランダムアクセスリソース情報を受信するための情報受信モジュールと、
前記ランダムアクセスリソース情報から前記ランダムアクセスリソース選択基準情報に対応する目的ランダムアクセスリソース情報を特定するための情報選択モジュールと、
前記目的ランダムアクセスリソース情報によって前記ネットワーク側機器にランダムアクセスリクエストを発するためのランダムアクセスモジュールとを、備え、
前記情報受信モジュールは、前記ネットワーク側機器が自体にサポートされるダウンリンク周波数範囲内の目的ダウンリンクキャリアにおいて同報通信する前記ランダムアクセスリソース選択基準情報とランダムアクセスリソース情報を受信するために用いられ、
前記情報選択モジュールは、
前記ランダムアクセスリソース選択基準情報から前記端末が少なくとも一つのアップリンク周波数範囲または少なくとも一つのネットワークカバレッジランキングにおいて対応するランダムアクセスリソース選択基準閾値を取得し、且つ、第１受信電力および前記ランダムアクセスリソース選択基準閾値によって前記ランダムアクセスリソース情報から前記目的ランダムアクセスリソース情報を特定するために用いられ、
前記ランダムアクセスリソース選択基準閾値の個数は、前記アップリンク周波数範囲の個数から「１」を減算した値、またはアップリンクキャリアの個数から「１」を減算した値、前記ネットワークカバレッジランキングの個数から「１」を減算した値と等しい
ことを特徴とするランダムアクセス装置。
【請求項１１】
前記ランダムアクセスリソース情報は、前記ネットワーク側機器によってサポートされる少なくとも一つのアップリンク周波数範囲内のキャリア周波数識別子、または前記少なくとも一つのアップリンク周波数範囲内のアップリンクキャリアの中心周波数を含み、
前記ランダムアクセスリソース情報は、端末が前記少なくとも一つのアップリンク周波数範囲または少なくとも一つのアップリンクキャリアまたは少なくとも一つのネットワークカバレッジランキングにおいて対応するランダムアクセスリソース選択基準閾値を含み、前記ランダムアクセスリソース選択基準閾値は、前記少なくとも一つのアップリンク周波数範囲のカバレッジ境界または少なくとも一つのアップリンクキャリアのカバレッジ境界または少なくとも一つのネットワークカバレッジランキングを表す
ことを特徴とする請求項１０に記載のランダムアクセス装置。
【請求項１２】
前記ダウンリンク周波数範囲内の目的ダウンリンクキャリアは、ネットワーク管理システムまたは前記ネットワーク側機器が前記ネットワーク側機器によってサポートされるダウンリンク周波数範囲内のキャリアのネットワークカバレッジの能力によって配置するものであり、及び／又は、
前記ダウンリンク周波数範囲内の目的ダウンリンクキャリアは、ネットワーク管理システムまたは前記ネットワーク側機器が前記ネットワーク側機器によってサポートされるダウンリンク周波数範囲内のキャリアの負荷状態によって配置するものである
ことを特徴とする請求項１０に記載のランダムアクセス装置。
【請求項１３】
前記情報選択モジュールは、
前記端末が前記目的ダウンリンクキャリアにおいてダウンリンク参照信号またはダウンリンク同期信号を受信する第１受信電力を取得し、且つ、前記第１受信電力と前記ランダムアクセスリソース選択基準情報によって前記ランダムアクセスリソース情報から前記目的ランダムアクセスリソース情報を特定するために用いられ、
前記目的ランダムアクセスリソース情報は、前記目的アップリンクキャリアの周波数識別子を含み、前記ランダムアクセスリソース選択基準情報は、前記第１受信電力によって特徴付けられる
ことを特徴とする請求項１０に記載のランダムアクセス装置。
【請求項１４】
前記情報選択モジュールは、
第１プリセット順に従って、前記第１受信電力が前記ランダムアクセスリソース選択基準閾値のうちの第１ランダムアクセスリソース選択基準閾値の以上であるか否かを順次に特定し、且つ、前記第１受信電力が前記第１ランダムアクセスリソース選択基準閾値の以上である場合に、前記第１ランダムアクセスリソース選択基準閾値に対応するランダムアクセスリソース情報が前記目的ランダムアクセスリソース情報であることを特定するために用いられ、
そのうち、前記第１プリセット順は、前記第１ランダムアクセスリソース選択基準閾値の大きい順である
ことを特徴とする請求項１０に記載のランダムアクセス装置。
【請求項１５】
前記情報選択モジュールは、
第２プリセット順に従って、前記第１受信電力が前記ランダムアクセスリソース選択基準閾値のうちの第１ランダムアクセスリソース選択基準閾値の以下であるか否かを順次に特定し、且つ、前記第１受信電力が前記第１ランダムアクセスリソース選択基準閾値の以下である場合に、前記第１ランダムアクセスリソース選択基準閾値に対応するランダムアクセスリソース情報が前記目的ランダムアクセスリソース情報であることを特定するために用いられ、
そのうち、前記第２プリセット順は、前記第１ランダムアクセスリソース選択基準閾値の小さい順である
ことを特徴とする請求項１０に記載のランダムアクセス装置。
【請求項１６】
前記ランダムアクセスリソース選択基準情報は閾値シーケンスを含み、前記閾値シーケンスは複数の閾値要素を含み、各閾値要素は、前記端末が前記ネットワーク側機器によってサポートされる各アップリンク周波数範囲または各アップリンクキャリアまたは各ネットワークカバレッジランキングにおいて対応する電力レベルの全てのレベル組合せと一々対応し、各閾値要素は、前記端末がネットワーク側機器によってサポートされるアップリンク周波数範囲の個数またはアップリンクキャリアまたはネットワークカバレッジランキングでの電力レベルが前記ランダムアクセスリソース選択基準閾値において対応する第２ランダムアクセスリソース選択基準閾値を含み、
前記複数の閾値要素の個数は、ＡのＢ乗であり、Ａは、ネットワーク側機器によってサポートされるアップリンク周波数範囲またはアップリンクキャリアまたはネットワークカバレッジランキングの個数であり、Ｂは、端末が前記アップリンク周波数範囲またはアップリンクキャリアまたはネットワークカバレッジランキングでの電力レベルの個数であり、各閾値要素に含まれる第２ランダムアクセスリソース選択基準閾値の個数は、前記ネットワーク側機器によってサポートされるアップリンク周波数範囲の個数あるいはアップリンクキャリアまたはネットワークカバレッジランキングの個数から「１」を減算した値であり、
前記情報選択モジュールは、
前記端末が前記少なくとも一つのアップリンク周波数範囲または少なくとも一つのアップリンクキャリアまたは少なくとも一つのネットワークカバレッジランキングでの電力レベルを取得し、且つ、前記電力レベルによって前記複数の閾値要素から目的閾値要素を特定し、前記第１受信電力および前記目的閾値要素によって前記ランダムアクセスリソース情報から目的ランダムアクセス配置を特定するために用いられる
ことを特徴とする請求項１０に記載のランダムアクセス装置。
【請求項１７】
前記情報選択モジュールは、
第３プリセット順に従って、前記第１受信電力が前記目的閾値要素のうちの第２ランダムアクセスリソース選択基準閾値の以上であるか否かを順次に特定し、且つ、前記第１受信電力が前記第２ランダムアクセスリソース選択基準閾値の以上である場合に、前記第２ランダムアクセスリソース選択基準閾値に対応するランダムアクセスリソース情報が前記目的ランダムアクセスリソース情報であることを特定するために用いられ、
そのうち、前記第３プリセット順は、前記第２ランダムアクセスリソース選択基準閾値の大きい順である
ことを特徴とする請求項１６に記載のランダムアクセス装置。
【請求項１８】
前記情報選択モジュールは、
第４プリセット順に従って、前記第１受信電力が前記目的閾値要素のうちの第２ランダムアクセスリソース選択基準閾値の以下であるか否かを順次に特定し、且つ、前記第１受信電力が前記第２ランダムアクセスリソース選択基準閾値の以下である場合に、前記第２ランダムアクセスリソース選択基準閾値に対応するランダムアクセスリソース情報が前記目的ランダムアクセスリソース情報であることを特定するために用いられ、
そのうち、前記第４プリセット順は、前記第２ランダムアクセスリソース選択基準閾値の小さい順である
ことを特徴とする請求項１６に記載のランダムアクセス装置。
【請求項１９】
請求項１〜９のいずれか１項に記載のランダムアクセス方法を実行するための一つまたは複数のプログラムを含む
ことを特徴とする非一過性コンピュータ可読記憶媒体。
【請求項２０】
請求項１９に記載の非一過性コンピュータ可読記憶媒体と、
前記非一過性コンピュータ可読記憶媒体におけるプログラムを実行するための一つまたは複数のプロセッサーと、を備える
ことを特徴とする端末。
【発明の詳細な説明】
【技術分野】
【０００１】
本発明は、通信の分野に関し、特に、ランダムアクセス方法および装置に関する。
【背景技術】
【０００２】
第３と第４世代（３Ｇと４Ｇ）ネットワークにおいて、システムのアップリンクカバレッジはダウンリンクカバレッジよりもカバレッジ能力が劣るため、アップリンクデータの伝送に影響を与えてしまうが、第５世代（５Ｇ）ネットワークにおいて、アップリンクカバレッジ能力とダウンリンクカバレッジ能力との間の格差がより一層顕著となるので、高周波数帯と低周波数帯を組み合わせて使用することを考慮する必要があり、即ち、高周波数帯自体のアップリンクカバレッジが限られた時に、低周波数帯のアップリンク周波数でアップリンクデータを伝送することであり、そのうち、高周波数帯は、容量供給のために２８ＧＨｚ、３．５ＧＨｚなどの周波数を含むことができ、低周波数帯は、カバレッジ供給のために９００ＭＨｚなどの周波数を含むことができる。
【０００３】
ところが、従来技術では、高周波数帯と低周波数帯の組み合わせは、一般的に二種類の方法によって実現され、一種の実現方法は、キャリアアグリゲーションを用いる方法であり、他種の実現方法は、ダブルコネクションによる方法である。しかしながら、当該二種類の実現方法は、いずれにおいても、端末に対してマスタサービスネットワーク機器およびサブサービスネットワーク機器を配置する必要があり、且つ、２０ｍｓ〜５０ｍｓの配置時間が必要となり、配置の遅延が比較的長いので、データ伝送の遅延が比較的長くなってしまう。このため、端末がランダムアクセスするときに、データ伝送の遅延が比較的長いという原因でランダムアクセスの効率を低下させてしまう。
【発明の概要】
【発明が解決しようとする課題】
【０００４】
上記問題を解決するために、本発明は、ランダムアクセス方法および装置を提供する。
【課題を解決するための手段】
【０００５】
上記目的を達成するために、本発明の実施例の第１側面によれば、一種のランダムアクセス方法が提供される。当該ランダムアクセス方法は、端末に適用され、且つ、ネットワーク側機器によって同報通信されたランダムアクセスリソース選択基準情報とランダムアクセスリソース情報を受信することと、前記ランダムアクセスリソース情報から前記ランダムアクセスリソース選択基準情報に対応する目的ランダムアクセスリソース情報を特定することと、前記目的ランダムアクセスリソース情報によって前記ネットワーク側機器にランダムアクセスリクエストを発することと、を含む。
【０００６】
本発明の実施例の第２側面によれば、一種のランダムアクセス方法が提供される。当該ランダムアクセス方法は、ネットワーク側機器に適用され、且つ、ランダムアクセスリソース選択基準情報とランダムアクセスリソース情報を特定することと、前記端末が前記ランダムアクセスリソース選択基準情報によって前記ランダムアクセスリソース情報から目的ランダムアクセスリソース情報を特定し、且つ前記目的ランダムアクセスリソース情報によってネットワーク側機器にランダムアクセスリクエストを発するように、前記ランダムアクセスリソース選択基準情報と前記ランダムアクセスリソース情報を同報通信することと、を含む。
【０００７】
本発明の実施例の第３側面によれば、一種のランダムアクセス装置が提供される。当該ランダムアクセス装置は、端末に適用され、且つ、ネットワーク側機器によって同報通信されるランダムアクセスリソース選択基準情報とランダムアクセスリソース情報を受信するための情報受信モジュールと、前記ランダムアクセスリソース情報から前記ランダムアクセスリソース選択基準情報に対応する目的ランダムアクセスリソース情報を特定するための情報選択モジュールと、前記目的ランダムアクセスリソース情報によって前記ネットワーク側機器にランダムアクセスリクエストを発するためのランダムアクセスモジュールとを、備える。
【０００８】
本発明の実施例の第４側面によれば、一種のランダムアクセス装置が提供される。当該ランダムアクセス装置は、ネットワーク側機器に適用され、且つ、ランダムアクセスリソース選択基準情報とランダムアクセスリソース情報を特定するための情報特定モジュールと、前記端末が前記ランダムアクセスリソース選択基準情報によって前記ランダムアクセスリソース情報から目的ランダムアクセスリソース情報を特定し、且つ前記目的ランダムアクセスリソース情報によってネットワーク側機器にランダムアクセスリクエストを発するように、前記ランダムアクセスリソース選択基準情報と前記ランダムアクセスリソース情報を同報通信するための情報同報通信モジュールとを、備える。
【０００９】
本発明の実施例の第５側面によれば、一種の非一過性コンピュータ可読記憶媒体が提供される。前記非一過性コンピュータ可読記憶媒体は、上記第１側面に記載のランダムアクセス方法を実行するための一つまたは複数のプログラムを含む。
【００１０】
本発明の実施例の第６側面によれば、一種の端末が提供される。前記端末は、上記第５側面に記載の非一過性コンピュータ可読記憶媒体と、前記非一過性コンピュータ可読記憶媒体におけるプログラムを実行するための一つまたは複数のプロセッサーとを、備える。
【００１１】
本発明の実施例の第７側面によれば、一種の非一過性コンピュータ可読記憶媒体が提供される。前記非一過性コンピュータ可読記憶媒体は、上記第２側面に記載のランダムアクセス方法を実行するための一つまたは複数のプログラムを含む。
【００１２】
本発明の実施例の第８側面によれば、一種のネットワーク側機器が提供される。前記ネットワーク側機器は、上記第７側面に記載の非一過性コンピュータ可読記憶媒体と、前記非一過性コンピュータ可読記憶媒体におけるプログラムを実行するための一つまたは複数のプロセッサーと、を備える。
【発明の効果】
【００１３】
上記の技術方案によれば、ネットワーク側機器によって同報通信されたランダムアクセスリソース選択基準情報とランダムアクセスリソース情報を受信し、前記ランダムアクセスリソース情報から前記ランダムアクセスリソース選択基準情報に対応する目的ランダムアクセスリソース情報を特定し、前記目的ランダムアクセスリソース情報によって前記ネットワーク側機器にランダムアクセスリクエストを発する。このようにして、端末は、ネットワーク側機器によって同報通信されるランダムアクセスリソース選択基準情報とランダムアクセスリソース情報を受信し、且つランダムアクセスリソース情報からランダムアクセスリクエストを発するための目的ランダムアクセスリソース情報を特定することができるので、キャリアアグリゲーションまたはダブルコネクションに関する配置を行う必要はなく、ランダムアクセスの効率を向上した。
【図面の簡単な説明】
【００１４】
【図１】本発明の実施例に提供される一種のランダムアクセス方法のフローチャートである。
【図２】本発明の実施例に提供されるもう一種のランダムアクセス方法のフローチャートである。
【図３】本発明の実施例に提供される三種目のランダムアクセス方法のフローチャートである。
【図４】本発明の実施例に提供される一種のランダムアクセス装置の構成を示す図である。
【図５】本発明の実施例に提供されるもう一種のランダムアクセス装置の構成を示す図である。
【図６】本発明の実施例に提供される三種目のランダムアクセス装置の構成を示す図である。
【図７】本発明の実施例に提供される一種のランダムアクセス装置のハードウェア構成を示す図である。
【発明を実施するための形態】
【００１５】
以下、図面を参照しながら、本発明の具体的な実施形態を詳細に説明する。なお、ここで説明する具体的な実施形態は本発明を説明して解釈するためのものに過ぎず、本発明を制限するものではないことを理解すべきである。
【００１６】
以下の実施例によって提供される技術方案は、５Ｇ移動通信システムに適用されることができる。当該システムには、ネットワーク側機器と端末が含まれることができ、当該ネットワーク側機器は、端末と通信する機器である、特定の物理的領域に通信カバレッジを提供できる基地局（Ｂａｓｅ Ｓｔａｔｉｏｎ、「ＢＳ」と略称する）であってもよい。例えば、具体的には、基地局はＬＴＥにおける発展型ノードＢ（ｅｖｏｌｕｔｉｏｎａｌ  ｎｏｄｅＢ、「ＥＮＢ」または「ｅＮｏｄｅＢ」と略称する）であってもよく、または、無線通信ネットワークにおけるアクセスサービスを提供するその他のアクセスネットワーク機器であってもよい。
【００１７】
端末は、移動通信システムの全体に分布することができ、各々の端末を静的または移動可能にすることができる。例えば、端末は、モバイルステーション（ｍｏｂｉｌｅ  ｓｔａｔｉｏｎ）、サブスクライバ・ユニット（ｓｕｂｓｃｒｉｂｅｒ  ｕｎｉｔ）、ステーション（ｓｔａｔｉｏｎ）であってもよく、セルラーホン（ｃｅｌｌｕｌａｒ  ｐｈｏｎｅ）、パーソナルデジタルアシスタント（ｐｅｒｓｏｎａｌ  ｄｉｇｉｔａｌ  ａｓｓｉｓｔａｎｔ、「ＰＤＡ」と略称する）、ハンドヘルド（ｈａｎｄｈｅｌｄ）、ラップトップ型パーソナルコンピュータ（ｌａｐｔｏｐ  ｃｏｍｐｕｔｅｒ）などの無線通信デバイスであってもよい。
【００１８】
図１は、本発明の実施例に提供される一種のランダムアクセス方法に係る。図１に示すように、当該ランダムアクセス方法は、端末に適用され、且つ以下のステップを含む。
【００１９】
Ｓ１０１：ネットワーク側機器によって同報通信されるランダムアクセスリソース選択基準情報とランダムアクセスリソース情報を受信する。
【００２０】
そのうち、当該ランダムアクセスリソース情報は、当該ネットワーク側機器によってサポートされる少なくとも一つのアップリンク周波数範囲内のキャリア周波数識別子、または当該少なくとも一つのアップリンク周波数範囲内のアップリンクキャリアの中心周波数を含み、当該ランダムアクセスリソース選択基準情報は、端末が当該少なくとも一つのアップリンク周波数範囲または少なくとも一つのアップリンクキャリアまたは少なくとも一つのネットワークカバレッジランキングにおいて対応するランダムアクセスリソース選択基準閾値を含み、当該ランダムアクセスリソース選択基準閾値は、当該少なくとも一つのアップリンク周波数範囲のカバレッジ境界または少なくとも一つのアップリンクキャリアのカバレッジ境界または少なくとも一つのネットワークカバレッジランキングを表す。
【００２１】
なお、ネットワーク側機器は、自体がサポートする動作バンドの能力に応じて、アップリンク周波数範囲とダウンリンク周波数範囲のペアリングを行うことができる。
【００２２】
当該ペアイングは、高周波数のＴＤＤ（Ｔｉｍｅ  Ｄｉｖｉｓｉｏｎ  Ｄｕｐｌｅｘｉｎｇ、時分割複信）／ＦＤＤ（Ｆｒｅｑｕｅｎｃｙ  Ｄｉｖｉｓｉｏｎ  Ｄｕｐｌｅｘｉｎｇ、周波数分割複信）バンドと低周波数のＦＤＤ／ＴＤＤバンドのペアリングを採用することができる。
【００２３】
具体的には、ネットワーク側機器の動作バンドの能力に応じて、上記のペアリングは、高周波数のＴＤＤのダウンリンク周波数範囲と高周波数のＴＤＤのアップリンク周波数範囲とのペアリング、高周波数のＴＤＤのダウンリンク周波数範囲と高周波数のＦＤＤのアップリンク周波数範囲とのペアリング、高周波数のＴＤＤのダウンリンク周波数範囲と低周波数のＦＤＤのアップリンク周波数範囲とのペアリング、高周波数のＴＤＤのダウンリンク周波数範囲と低周波数のＴＤＤのアップリンク周波数範囲とのペアリング、高周波数のＦＤＤのダウンリンク周波数範囲と高周波数のＴＤＤのアップリンク周波数範囲とのペアリング、高周波数のＦＤＤのダウンリンク周波数範囲と高周波数のＦＤＤのアップリンク周波数範囲とのペアリング、高周波数のＦＤＤのダウンリンク周波数範囲と低周波数のＦＤＤのアップリンク周波数範囲とのペアリング、高周波数のＦＤＤのダウンリンク周波数範囲と低周波数のＴＤＤのアップリンク周波数範囲とのペアリング、低周波数のＴＤＤのダウンリンク周波数範囲と低周波数のＴＤＤのアップリンク周波数範囲とのペアリング、低周波数のＴＤＤのダウンリンク周波数範囲と低周波数のＦＤＤのアップリンク周波数範囲とのペアリング、低周波数のＦＤＤのダウンリンク周波数範囲と低周波数のＴＤＤのアップリンク周波数範囲とのペアリング、または、低周波数のＦＤＤのダウンリンク周波数範囲と低周波数のＦＤＤのアップリンク周波数範囲とのペアリングであることができる。
【００２４】
５Ｇネットワークを例として説明すると、５Ｇネットワークにおいて、システムのアップリンクカバレッジはダウンリンクカバレッジよりもカバレッジ能力が劣り、且つ、両者の間に明らかな格差があるので、高周波数帯と低周波数帯を組み合わせて使用することを考えられ、即ち、高周波数帯自体のアップリンクカバレッジが限られた時に、低周波数帯のアップリンク周波数でアップリンクデータを伝送することである。このようにして、５Ｇネットワークにおいて、具体的に下記のバンドのペアリングを選択することができる。すなわち、
高周波数のＴＤＤのダウンリンク周波数範囲と低周波数のＦＤＤのアップリンク周波数範囲とのペアリング、
高周波数のＴＤＤのダウンリンク周波数範囲と低周波数のＴＤＤのアップリンク周波数範囲とのペアリング、
高周波数のＦＤＤのダウンリンク周波数範囲と低周波数のＦＤＤのアップリンク周波数範囲とのペアリング、
高周波数のＦＤＤのダウンリンク周波数範囲と低周波数のＴＤＤのアップリンク周波数範囲とのペアリングである。
【００２５】
つまり、ペアリングを行う場合、高周波数帯をダウンリンク周波数範囲として選用し、低周波数帯をアップリンク周波数範囲として選用する。このようにすると、高周波数帯自体のアップリンクカバレッジが限られた時に、低周波数帯のアップリンク周波数でアップリンクデータを伝送して、カバレッジ能力を向上することができる。
【００２６】
このステップにおいて、ネットワーク側機器によってサポートされる上記のペアリングされた周波数範囲情報を、ランダムアクセスリソース選択基準情報によって端末に伝送することができる。
【００２７】
Ｓ１０２：当該ランダムアクセスリソース情報から当該ランダムアクセスリソース選択基準情報に対応する目的ランダムアクセスリソース情報を特定する。
【００２８】
Ｓ１０３：当該目的ランダムアクセスリソース情報によって、当該ネットワーク側機器にランダムアクセスリクエストを発する。
【００２９】
このステップにおいて、当該目的ランダムアクセスリソース情報におけるアップリンク周波数範囲またはアップリンクキャリアで当該ネットワーク側機器にランダムアクセスリクエストを発することができる。
【００３０】
このようにして、端末は、ネットワーク側機器によって同報通信されるランダムアクセスリソース選択基準情報とランダムアクセスリソース情報を受信し、且つランダムアクセスリソース情報からランダムアクセスリクエストを発するための目的ランダムアクセスリソース情報を特定することができるので、キャリアアグリゲーションまたはダブルコネクションに関する配置を行う必要はなく、ランダムアクセスの効率を向上した。
【００３１】
図２は、本発明の実施例に提供される一種のランダムアクセス方法に係る。図２に示すように、当該ランダムアクセス方法は、ネットワーク側機器に適用され、且つ以下のステップを含む。
【００３２】
Ｓ２０１：ランダムアクセスリソース選択基準情報とランダムアクセスリソース情報を特定する。
【００３３】
そのうち、当該ランダムアクセスリソース情報は、当該ネットワーク側機器によってサポートされる少なくとも一つのアップリンク周波数範囲内のキャリア周波数識別子、または当該少なくとも一つのアップリンク周波数範囲内のアップリンクキャリアの中心周波数を含み、当該ランダムアクセスリソース選択基準情報は、端末が当該少なくとも一つのアップリンク周波数範囲または少なくとも一つのアップリンクキャリアまたは少なくとも一つのネットワークカバレッジランキングにおいて対応するランダムアクセスリソース選択基準閾値を含み、当該ランダムアクセスリソース選択基準閾値は、当該少なくとも一つのアップリンク周波数範囲のカバレッジ境界または少なくとも一つのアップリンクキャリアのカバレッジ境界または少なくとも一つのネットワークカバレッジランキングを表す。
【００３４】
Ｓ２０２：当該端末が当該ランダムアクセスリソース選択基準情報によって当該ランダムアクセスリソース情報から目的ランダムアクセスリソース情報を特定し、且つ当該目的ランダムアクセスリソース情報によってネットワーク側機器にランダムアクセスリクエストを発するように、当該ランダムアクセスリソース選択基準情報と当該ランダムアクセスリソース情報を同報通信する。
【００３５】
このようにして、端末が当該ランダムアクセスリソース選択基準情報と当該ランダムアクセスリソース情報を受信し、且つランダムアクセスリソース情報からランダムアクセスリクエストを発するための目的ランダムアクセスリソース情報を特定するように、ネットワーク側機器はランダムアクセスリソース選択基準情報とランダムアクセスリソース情報を同報通信することができるので、キャリアアグリゲーションまたはダブルコネクションに関する配置を行う必要はなく、ランダムアクセスの効率を向上した。
【００３６】
当業者に本発明の実施例によって提供される技術方案をより明確に理解させるために、以下では、端末とネットワーク側機器を結合して本発明の実施例によって提供されるランダムアクセスするための方法を詳細に説明する。図３に示すように、当該方法は、以下のステップを含む。
【００３７】
Ｓ３０１：ネットワーク側機器は、自体がサポートするダウンリンク周波数範囲内の目的ダウンリンクキャリアにおいてランダムアクセスリソース選択基準情報とランダムアクセスリソース情報を同報通信する。
【００３８】
そのうち、当該ランダムアクセスリソース情報は、当該ネットワーク側機器によってサポートされる少なくとも一つのアップリンク周波数範囲内のキャリア周波数識別子、または当該少なくとも一つのアップリンク周波数範囲内のアップリンクキャリアの中心周波数を含み、当該ランダムアクセスリソース選択基準情報は、端末が当該少なくとも一つのアップリンク周波数範囲または少なくとも一つのアップリンクキャリアまたは少なくとも一つのネットワークカバレッジランキングにおいて対応するランダムアクセスリソース選択基準閾値を含み、当該ランダムアクセスリソース選択基準閾値は、当該少なくとも一つのアップリンク周波数範囲のカバレッジ境界または少なくとも一つのアップリンクキャリアのカバレッジ境界または少なくとも一つのネットワークカバレッジランキングを表し、当該ランダムアクセスリソース選択基準閾値が大きいほど、対応するアップリンク周波数範囲またはアップリンクキャリアまたはネットワークカバレッジランキングのアップリンクカバレッジ範囲が小さくなることを表す。
【００３９】
上記のダウンリンク周波数範囲内の目的ダウンリンクキャリアは、ネットワーク管理システムまたは当該ネットワーク側機器が当該ネットワーク側機器によってサポートされるダウンリンク周波数範囲内のキャリアのネットワークカバレッジの能力によって配置するものであり、及び／又は、上記のダウンリンク周波数範囲内の目的ダウンリンクキャリアは、ネットワーク管理システムまたは当該ネットワーク側機器が当該ネットワーク側機器によってサポートされるダウンリンク周波数範囲内のキャリアの負荷状態によって配置するものである。
【００４０】
このステップにおいて、ネットワーク側機器は、以下のステップＳ１１〜ステップＳ１１でランダムアクセスリソース選択基準閾値を取得することができる。
【００４１】
Ｓ１１：ネットワーク側機器は、当該ネットワーク側機器が当該ダウンリンク周波数範囲内の目的ダウンリンクキャリアにおいて参照信号または同期信号を送信する第１送信（放射）電力、および当該端末が当該ネットワーク側機器によってサポートされるアップリンク周波数範囲においてアップリンクデータを送信する時の、当該ネットワーク側機器が当該アップリンクデータを復調することに対応する最低受信電力を取得する。
【００４２】
Ｓ１２：ネットワーク側機器は、当該端末と当該ネットワーク側機器が当該アップリンク周波数範囲においてのアップリンク経路損失値と、当該端末と当該ネットワーク側機器が当該目的ダウンリンクキャリアにおいてのダウンリンク経路損失値との間の損失差分値を取得する。
【００４３】
そのうち、当該アップリンク経路損失値と当該ダウンリンク経路損失値は、当該端末が同じ地理的位置で得られた経路損失値であり、当該アップリンク経路損失値と当該ダウンリンク経路損失値は、スペクトラムアナライザで測定することで得られ、または、当該アップリンク経路損失値と当該ダウンリンク経路損失値は、典型的な伝搬モデルと第i個の第２ダウンリンクバンド及び第１ダウンリンクバンドの周波数によって算出することもできる。例えば、密集市街地において、当該典型的な伝搬モデルはＨａｔａ伝搬モデルであってもよく、当該モデルによって経路損失値を算出する具体的な過程は、従来技術と同じであるので、ここでこれ以上贅言しない。
【００４４】
Ｓ１３：ネットワーク側機器は、当該端末が当該少なくとも一つのアップリンク周波数範囲において対応する全ての電力レベルを特定する。
【００４５】
例えば、端末が一つのアップリンク周波数範囲において三つの電力レベルをサポートできると、後ろのステップＳ１４によって、当該端末が当該一つのアップリンク周波数範囲においての各々の電力レベルに対応するアップリンクカバレッジ受信スレッショルド電力を算出できる。
【００４６】
Ｓ１４：当該第１送信電力、当該最低受信電力、当該損失差分値、及び当該全ての電力レベルに基づいて、以下の公式で各々のアップリンク周波数範囲に対応するランダムアクセスリソース情報選択スレッショルド電力を得る。
【００４７】
ＲＳＲＰｔｈｒｅｓ＝Ｐｔｘ_１＋ＰＬｄｅｌｔａ＋ＰＲＸ_ｉ-ＰＵＬ_ｉ
【００４８】
そのうち、ＲＳＲＰｔｈｒｅｓは、第i個のアップリンク周波数範囲に対応するランダムアクセスリソース情報選択スレッショルド電力であり、Ｐｔｘ_１は当該第１送信電力であり、ＰＬｄｅｌｔａは、当該端末と当該ネットワーク側機器が第i個のアップリンク目的キャリアにおいてのアップリンク経路損失値と、当該端末と当該ネットワーク側機器が当該目的ダウンリンクキャリアにおいてのダウンリンク経路損失値との間の損失差分値であり、ＰＲＸ_ｉは、当該ネットワーク側機器によってサポートされる第i個のアップリンク目的キャリアにおいてアップリンクデータを送信する時の、当該ネットワーク側機器が当該アップリンクデータを復調することに対応する最低受信電力であり、ＰＵＬ_ｉは、当該第i個のアップリンク目的キャリアにおける全ての電力レベル中のいずれかの電力レベルに対応する最大送信電力である。
【００４９】
上記電力レベルは、当該端末が当該ネットワーク側機器によってサポートされるアップリンク周波数範囲での最大送信電力を表し、当該最大送信電力は、異なる端末が信号を送信する一番遠い達到可能な距離に対応し、異なるレベルの端末の一番遠い達到可能な距離は同じではなく、異なる電力レベルに対応する最大送信電力は、端末を設計する際のアプリケーションシナリオおよびコストなどに応じて配置することができ、端末は、あるバンドにおいて一つの電力レベルのみをサポートする。
【００５０】
例えば、端末は三つの電力レベル（全ての電力レベルに相当する）をサポートし、そのうち、端末がバンド９００ＭＨｚでの最大送信電力の電力レベルは「１」である場合、対応する最大送信電力は２３ｄＢｍであり、端末がバンド９００ＭＨｚでの最大送信電力の電力レベルは「２」である場合、対応する最大送信電力は２６ｄＢｍであり、端末がバンド９００ＭＨｚでの最大送信電力の電力レベルは「３」である場合、対応する最大送信電力は１４ｄＢｍである。端末がバンド３．５ＧＨｚでの最大送信電力の電力レベルは「１」である場合、対応する最大送信電力は２０ｄＢｍであり、端末がバンド３．５ＧＨｚでの最大送信電力の電力レベルは「２」である場合、対応する最大送信電力は２３ｄＢｍであり、端末がバンド３．５ＧＨｚでの最大送信電力の電力レベルは「３」である場合、対応する最大送信電力は２６ｄＢｍである。
【００５１】
なお、ランダムアクセスリソース選択基準閾値を得た後に、ネットワーク側機器は、定義される端末電力レベル情報に基づいて、ランダムアクセスリソース選択基準情報に含まれるランダムアクセスリソース選択基準閾値の表現方式を決定することができる。
【００５２】
そのうち、当該端末電力レベル情報は、当該端末が当該少なくとも一つのアップリンク周波数範囲において単一の電力レベルをサポートすること、または、当該端末が当該少なくとも一つのアップリンク周波数範囲において複数の電力レベルをサポートすることを表すためのものである。一種の実現可能な方式では、ネットワーク側機器は、自体がサポートする３ＧＰＰ標準規格で定義されている電力レベルの状況に基づいて、当該レベルの配置情報を特定することができる。例えば、リリース（Ｒｅｌｅａｓｅ）１４バージョン標準では一種の端末の電力レベルのみが定義されるので、当該電力レベル配置情報が当該端末が当該少なくとも一つのアップリンク周波数範囲において単一の電力レベルをサポートすることを表すことを特定する。これに対して、リリース１５バージョン標準では三種類の端末の電力レベルが定義され、即ち、当該端末が各アップリンク周波数範囲における電力レベルは三種類があるので、当該電力レベル配置情報が当該端末が当該少なくとも一つのアップリンク周波数範囲において複数の電力レベルをサポートすることを表すことを特定する。
【００５３】
上記電力レベル配置情報の違いによって、当該ランダムアクセスリソース選択基準情報に含まれるランダムアクセスリソース選択基準閾値の表現方式は、以下の二種類を含むことができる。
【００５４】
方式１：当該端末が当該少なくとも一つのアップリンク周波数範囲において単一の電力レベルをサポートする場合、当該ランダムアクセスリソース選択基準情報は、当該端末が当該少なくとも一つのアップリンク周波数範囲または少なくとも一つのネットワークカバレッジランキングにおいて対応するランダムアクセスリソース選択基準閾値を含み、且つ、当該ランダムアクセスリソース選択基準閾値の数目は、当該アップリンク周波数範囲の数目から「１」を減算した値、または当該アップリンクキャリアの数目から「１」を減算した値、当該ネットワークカバレッジランキングの数目から「１」を減算した値と等しい。
【００５５】
なお、当該ランダムアクセスリソース選択基準閾値は、大きい順に同報通信が必要となるスレッショルド電力を選択することができる。
【００５６】
例えば、ネットワーク側機器が三つのアップリンク周波数範囲をサポートし、且つ端末が各アップリンク周波数範囲においてサポートする単一の電力レベルは電力レベル２であると、三つのアップリンク周波数範囲に対応するランダムアクセスリソース選択基準閾値は、それぞれＲ１、Ｒ２、Ｒ３であり、そのうち、Ｒ１は、端末がアップリンク周波数範囲１で、且つ電力レベルが「２」である時の、対応するランダムアクセスリソース選択基準閾値であり、Ｒ２は、端末がアップリンク周波数範囲２で、且つ電力レベルが「２」である時の、対応するランダムアクセスリソース選択基準閾値であり、Ｒ３は、端末がアップリンク周波数範囲３で、且つ電力レベルが「２」である時の、対応するランダムアクセスリソース選択基準閾値であり、且つ、Ｒ１≧Ｒ２≧Ｒ３となる。これによって、当該アップリンクカバレッジ受信閾値情報は、（Ｒ１、Ｒ２）であることができる。
【００５７】
方式２：当該端末が当該少なくとも一つのアップリンク周波数範囲において複数の電力レベルをサポートする場合、当該ランダムアクセスリソース選択基準情報は閾値シーケンスを含み、当該閾値シーケンスは複数の閾値要素を含み、各閾値要素は、当該端末が当該ネットワーク側機器によってサポートされる各アップリンク周波数範囲または各アップリンクキャリアまたは各ネットワークカバレッジランキングにおいて対応する電力レベルの全てのレベル組合せと一々対応し、各閾値要素は、該端末がネットワーク側機器によってサポートされるアップリンク周波数範囲の数目またはアップリンクキャリアまたはネットワークカバレッジランキングでの電力レベルが当該ランダムアクセスリソース選択基準閾値において対応する第２ランダムアクセスリソース選択基準閾値を含む。
【００５８】
当該複数の閾値要素の数目は、ＡＢであり、Ａは、ネットワーク側機器によってサポートされるアップリンク周波数範囲またはアップリンクキャリアまたはネットワークカバレッジランキングの数目であり、Ｂは、端末が当該アップリンク周波数範囲またはアップリンクキャリアまたはネットワークカバレッジランキングでの電力レベルの数目である。各閾値要素に含まれる第２ランダムアクセスリソース選択基準閾値の数目は、当該ネットワーク側機器によってサポートされるアップリンク周波数範囲の数目あるいはアップリンクキャリアまたはネットワークカバレッジランキングの数目から「１」を減算した値である。
【００５９】
例えば、ネットワーク側機器が三つのアップリンク周波数範囲をサポートし、且つ端末が各々のアップリンク周波数範囲において三つの電力レベルをサポートすると、ネットワーク側機器によって配信されたアップリンクカバレッジ受信閾値情報が三つの（Ａに相当する）アップリンク周波数範囲にあること、及び三つの（Ｂに相当する）端末が当該アップリンク周波数範囲にあることを考える必要があり、これにより、複数の閾値要素の数目は、３３＝２７であり、各閾値要素ごとに三つのアップリンク周波数範囲における異なる電力レベルの組み合わせに対応し、例えば（Ｃ１、Ｃ２……Ｃ２７）、そのうち、Ｃ１は、端末がアップリンク周波数範囲１での電力レベル１、端末がアップリンク周波数範囲２での電力レベル１、端末がアップリンク周波数範囲３での電力レベル１に対応する閾値要素であり、当該端末がアップリンク周波数範囲１での電力レベル１に対応するランダムアクセスリソース選択基準閾値は、Ｔ１であり、当該端末がアップリンク周波数範囲２での電力レベル１に対応するランダムアクセスリソース選択基準閾値は、Ｔ２であり、当該端末がアップリンク周波数範囲３での電力レベル１に対応するランダムアクセスリソース選択基準閾値は、Ｔ３であり、そのうち、Ｔ１≧Ｔ２≧Ｔ３となり、これにより、当該閾値セットＣ１は、端末がアップリンク周波数範囲１での電力レベル１に対応するランダムアクセスリソース選択基準閾値Ｔ１、端末がアップリンク周波数範囲２での電力レベル１に対応するランダムアクセスリソース選択基準閾値Ｔ２を含むことができる。
同様に、Ｃ２は、端末がアップリンク周波数範囲１での電力レベル１、端末がアップリンク周波数範囲２での電力レベル１、端末がアップリンク周波数範囲３での電力レベル２に対応する閾値要素であり、当該端末がアップリンク周波数範囲１での電力レベル１に対応するランダムアクセスリソース選択基準閾値は、Ｔ１であり、当該端末がアップリンク周波数範囲２での電力レベル１に対応するランダムアクセスリソース選択基準閾値は、Ｔ２であり、当該端末がアップリンク周波数範囲３での電力レベル２に対応するランダムアクセスリソース選択基準閾値は、Ｔ４であり、そのうち、Ｔ１≧Ｔ２≧Ｔ４となり、これにより、当該閾値セットＣ２は、端末がアップリンク周波数範囲１での電力レベル１に対応するランダムアクセスリソース選択基準閾値Ｔ１、端末がアップリンク周波数範囲２での電力レベル１に対応するランダムアクセスリソース選択基準閾値Ｔ２を含むことができる。これをもとにして類推と、各閾値要素ごとに含まれるランダムアクセスリソース選択基準閾値を得ることができる。
【００６０】
Ｓ３０２：端末は、ランダムアクセスリソース選択基準情報とランダムアクセスリソース情報を受信し、且つ当該端末が当該目的ダウンリンクキャリアにおいてダウンリンク参照信号またはダウンリンク同期信号を受信する第１受信電力を取得する。
【００６１】
Ｓ３０３：端末は、当該第１受信電力および当該ランダムアクセスリソース選択基準情報によって、当該ランダムアクセスリソース情報から目的ランダムアクセスリソース情報を特定する。
【００６２】
このステップにおいて、ステップＳ３０１におけるランダムアクセスリソース選択基準情報の二種類の表現方式によって、以下の目的ランダムアクセスリソース情報を特定するための二種類の方式を含むことができる。
【００６３】
方式１：当該端末が当該少なくとも一つのアップリンク周波数範囲において単一の電力レベルをサポートする場合、当該アップリンクカバレッジ受信閾値情報から当該端末が当該少なくとも一つのアップリンク周波数範囲または少なくとも一つのアップリンクキャリアまたは少なくとも一つのネットワークカバレッジランキングでの電力レベルに対応するランダムアクセスリソース選択基準閾値を取得し、且つ、当該第１受信電力および当該ランダムアクセスリソース選択基準閾値によって当該目的ランダムアクセスリソース情報を特定する。
【００６４】
一種の実現可能な方式では、端末は、第１プリセット順に従って当該第１受信電力が当該ランダムアクセスリソース選択基準閾値のうちの第１ランダムアクセスリソース選択基準閾値の以上であるか否かを順次に特定することができ、当該第１受信電力が当該第１ランダムアクセスリソース選択基準閾値の以上であると、当該第１ランダムアクセスリソース選択基準閾値に対応するランダムアクセスリソース情報が当該目的ランダムアクセスリソース情報であることを特定する。そのうち、当該第１プリセット順は、当該第１ランダムアクセスリソース選択基準閾値の大きい順（降順）である。
【００６５】
例えば、ネットワーク側機器によってサポートされるアップリンク周波数範囲は、下記の通りであると、即ち、
アップリンク周波数範囲１：４４００〜４５００ＭＨｚ、アップリンク周波数範囲２：３３００〜４２００ＭＨｚ、アップリンク周波数範囲３：１７１０〜１７８５ＭＨｚ、そのうち、アップリンク周波数範囲１に対応するランダムアクセスリソース選択基準閾値がＲ１で、アップリンク周波数範囲２に対応するランダムアクセスリソース選択基準閾値がＲ２で、アップリンク周波数範囲３に対応するランダムアクセスリソース選択基準閾値がＲ３であり、且つ、Ｒ１≧Ｒ２≧Ｒ３となると、
当該ランダムアクセスリソース選択基準情報は、（Ｒ１、Ｒ２）を含み、そのうち、Ｒ１とＲ２が第１ランダムアクセスリソース選択基準閾値である。このようにして、第１受信電力がＲ１の以上である場合、アップリンク周波数範囲１に対応するランダムアクセスリソース情報が目的ランダムアクセスリソース情報であることを特定し、第１受信電力がＲ１よりも小さい場合に、第１受信電力がＲ２の以上であるか否かを判定し、第１受信電力がＲ２の以上である場合に、アップリンク周波数範囲２に対応するランダムアクセスリソース情報が目的ランダムアクセスリソース情報であることを特定し、第１受信電力がＲ２よりも小さいと、アップリンク周波数範囲３に対応するランダムアクセスリソース情報が目的ランダムアクセスリソース情報であることを特定する。
【００６６】
もう一種の実現可能な方式では、端末は、第２プリセット順に従って当該第１受信電力が当該ランダムアクセスリソース選択基準閾値のうちの第１ランダムアクセスリソース選択基準閾値の以下であるか否かを順次に特定することができ、そのうち、当該第２プリセット順は、当該第１ランダムアクセスリソース選択基準閾値の小さい順（昇順）である。当該第１受信電力が当該第１ランダムアクセスリソース選択基準閾値の以下であると、当該第１ランダムアクセスリソース選択基準閾値に対応するランダムアクセスリソース情報が当該目的ランダムアクセスリソース情報であることを特定する。
【００６７】
例えば、ネットワーク側機器によってサポートされるアップリンク周波数範囲は、下記の通りであると、即ち、
アップリンク周波数範囲１：４４００〜４５００ＭＨｚ、アップリンク周波数範囲２：３３００〜４２００ＭＨｚ、アップリンク周波数範囲３：１７１０〜１７８５ＭＨｚ、そのうち、アップリンク周波数範囲１に対応するランダムアクセスリソース選択基準閾値がＲ１で、アップリンク周波数範囲２に対応するランダムアクセスリソース選択基準閾値がＲ２で、アップリンク周波数範囲３に対応するランダムアクセスリソース選択基準閾値がＲ３であり、且つ、Ｒ１≧Ｒ２≧Ｒ３となると、
当該ランダムアクセスリソース選択基準情報は、（Ｒ１、Ｒ２）を含み、そのうち、Ｒ１とＲ２が第１ランダムアクセスリソース選択基準閾値である。このようにして、第１受信電力がＲ２の以下である場合、アップリンク周波数範囲３に対応するランダムアクセスリソース情報が目的ランダムアクセスリソース情報であることを特定し、第１受信電力がＲ２よりも大きい場合に、第１受信電力がＲ１の以下であるか否かを判定し、第１受信電力がＲ１の以下である場合に、アップリンク周波数範囲２に対応するランダムアクセスリソース情報が目的ランダムアクセスリソース情報であることを特定し、第１受信電力がＲ１よりも大きいと、アップリンク周波数範囲１に対応するランダムアクセスリソース情報が目的ランダムアクセスリソース情報であることを特定する。
【００６８】
方式２：当該端末が当該少なくとも一つのアップリンク周波数範囲において複数の電力レベルをサポートする場合に、端末は、当該端末が当該少なくとも一つのアップリンク周波数範囲または少なくとも一つのアップリンクキャリアまたは少なくとも一つのネットワークカバレッジランキングでの電力レベルを取得し、当該電力レベルによって当該複数の閾値要素から目的閾値要素を特定し、且つ、当該第１受信電力および当該目的閾値要素によって当該ランダムアクセスリソース情報から目的ランダムアクセスリソース情報を特定することができる。
【００６９】
例えば、依然として上記のステップＳ３０１におけるランダムアクセスリソース選択基準情報が（Ｃ１、Ｃ２……Ｃ２７）であることを例として説明する。端末がアップリンク周波数範囲１での電力レベルが「１」で、端末がアップリンク周波数範囲２での電力レベルが「１」で、端末がアップリンク周波数範囲３での電力レベルが「１」であると、Ｃ１が目的閾値要素であることを特定し、端末がアップリンク周波数範囲１での電力レベルが「１」で、端末がアップリンク周波数範囲２での電力レベルが「１」で、端末がアップリンク周波数範囲３での電力レベルが「２」であると、Ｃ２が目的閾値要素であることを特定する。
【００７０】
目的閾値要素を特定した後に、端末は、以下の二種類の実現可能な方式によって目的アクセスパラメータを特定することができる。
【００７１】
一種の実現可能な方式では、端末は、第３プリセット順に従って当該第１受信電力が当該目的閾値要素のうちの第２ランダムアクセスリソース選択基準閾値の以上であるか否かを順次に特定することができ、当該第１受信電力が当該第２ランダムアクセスリソース選択基準閾値の以上であると、当該第２ランダムアクセスリソース選択基準閾値に対応するランダムアクセスリソース情報が当該目的ランダムアクセスリソース情報であることを特定する。
【００７２】
そのうち、当該第３プリセット順は、当該第２ランダムアクセスリソース選択基準閾値の大きい順（降順）である。
【００７３】
例えば、目的閾値要素がＣ１で、端末がアップリンク周波数範囲１での電力レベル１に対応するランダムアクセスリソース選択基準閾値がＴ１で、端末がアップリンク周波数範囲２での電力レベル１に対応するランダムアクセスリソース選択基準閾値がＴ２で、端末がアップリンク周波数範囲３での電力レベル１に対応するランダムアクセスリソース選択基準閾値がＴ３であり、且つ、Ｔ１≧Ｔ２≧Ｔ３となると、Ｃ１は（Ｔ１、Ｔ２）を含み、そのうち、Ｔ１とＴ２が第２ランダムアクセスリソース選択基準閾値である。このようにして、第１受信電力がＴ１以上である場合、アップリンク周波数範囲１に対応するランダムアクセスリソース情報が目的ランダムアクセスリソース情報であることを特定し、第１受信電力がＴ１よりも小さい場合に、第１受信電力がＴ２以上であるか否かを判定し、第１受信電力がＴ２以上であると、アップリンク周波数範囲２に対応するランダムアクセスリソース情報が目的ランダムアクセスリソース情報であることを特定し、第１受信電力がＴ２よりも小さい場合に、アップリンク周波数範囲３に対応するランダムアクセスリソース情報が目的ランダムアクセスリソース情報であることを特定する。
【００７４】
もう一種の実現可能な方式では、端末は、第４プリセット順に従って当該第１受信電力が当該目的閾値要素のうちの第２ランダムアクセスリソース選択基準閾値の以下であるか否かを順次に特定することができ、当該第１受信電力が当該第２ランダムアクセスリソース選択基準閾値の以下であると、当該第２ランダムアクセスリソース選択基準閾値に対応するランダムアクセスリソース情報が当該目的ランダムアクセスリソース情報であることを特定する。
【００７５】
そのうち、当該第４プリセット順は、当該第２ランダムアクセスリソース選択基準閾値の小さい順（昇順）である。
【００７６】
例えば、目的閾値要素がＣ１で、端末がアップリンク周波数範囲１での電力レベル１に対応するランダムアクセスリソース選択基準閾値がＴ１で、端末がアップリンク周波数範囲２での電力レベル１に対応するランダムアクセスリソース選択基準閾値がＴ２で、端末がアップリンク周波数範囲３での電力レベル１に対応するランダムアクセスリソース選択基準閾値がＴ３であり、且つ、Ｔ１≧Ｔ２≧Ｔ３となると、Ｃ１は（Ｔ１、Ｔ２）を含み、そのうち、Ｔ１とＴ２が第２ランダムアクセスリソース選択基準閾値である。このようにして、第１受信電力がＴ２以下である場合、アップリンク周波数範囲３に対応するランダムアクセスリソース情報が目的ランダムアクセスリソース情報であることを特定し、第１受信電力がＴ２よりも大きい場合に、第１受信電力がＴ１以下であるか否かを判定し、第１受信電力がＴ１以下であると、アップリンク周波数範囲２に対応するランダムアクセスリソース情報が目的ランダムアクセスリソース情報であることを特定し、第１受信電力がＴ１よりも大きい場合に、アップリンク周波数範囲１に対応するランダムアクセスリソース情報が目的ランダムアクセスリソース情報であることを特定する。
【００７７】
Ｓ３０４：端末は、当該目的ランダムアクセスリソース情報によってネットワーク側機器にランダムアクセスリクエストを発する。
【００７８】
そのうち、当該目的ランダムアクセスリソース情報は、当該ネットワーク側機器によってサポートされる少なくとも一つのアップリンク周波数範囲内のキャリア周波数識別子または当該少なくとも一つのアップリンク周波数範囲内の目的アップリンクキャリアの中心周波数、及びランダムアクセスリクエストシーケンスフォーマット、ランダムアクセスリクエスト送信時間などの情報を含み、このようにして、端末は、当該目的アップリンクキャリアの中心周波数において当該目的ランダムアクセスリソース情報によってネットワーク側機器にランダムアクセスリクエストを発する。
【００７９】
上記の方法によれば、端末は、ネットワーク側機器によって同報通信されるランダムアクセスリソース選択基準情報とランダムアクセスリソース情報を受信し、且つランダムアクセスリソース情報からランダムアクセスリクエストを発するための目的ランダムアクセスリソース情報を特定することができるので、キャリアアグリゲーションまたはダブルコネクションに関する配置を行う必要はなく、ランダムアクセスの効率を向上した。
【００８０】
なお、簡単に説明するために、上記の方法に関する実施例を一連の動作の組み合わせとして記述しているが、当業者にとっては、本発明は記述された動作順序に限定されていないことを理解すべきであり、これは、本発明によれば、幾つかのステップが他の順でまたは同時に実行されることができるからである。また、当業者は、明細書に記載された実施例がいずれも好ましい実施例に属し、係る動作およびモジュールが必ずしも本発明に必須うのものではないことも理解すべきである。
【００８１】
図４は、本発明の実施例に提供される一種のランダムアクセス装置に係る。図４に示すように、当該ランダムアクセス装置は、端末に適用され、且つ、
ネットワーク側機器によって同報通信されるランダムアクセスリソース選択基準情報とランダムアクセスリソース情報を受信するための情報受信モジュール４０１と、
当該ランダムアクセスリソース情報から当該ランダムアクセスリソース選択基準情報に対応する目的ランダムアクセスリソース情報を特定するための情報選択モジュール４０２と、
当該目的ランダムアクセスリソース情報によって当該ネットワーク側機器にランダムアクセスリクエストを発するためのランダムアクセスモジュール４０３とを、備える。
【００８２】
好ましくは、当該ランダムアクセスリソース情報は、当該ネットワーク側機器によってサポートされる少なくとも一つのアップリンク周波数範囲内のキャリア周波数識別子、または当該少なくとも一つのアップリンク周波数範囲内のアップリンクキャリアの中心周波数を含み、当該ランダムアクセスリソース選択基準情報は、端末が当該少なくとも一つのアップリンク周波数範囲または少なくとも一つのアップリンクキャリアまたは少なくとも一つのネットワークカバレッジランキングにおいて対応するランダムアクセスリソース選択基準閾値を含み、当該ランダムアクセスリソース選択基準閾値は、当該少なくとも一つのアップリンク周波数範囲のカバレッジ境界または少なくとも一つのアップリンクキャリアのカバレッジ境界または少なくとも一つのネットワークカバレッジランキングを表す。
【００８３】
好ましくは、当該情報受信モジュール４０１は、当該ネットワーク側機器が自体にサポートされるダウンリンク周波数範囲内の目的ダウンリンクキャリアにおいて同報通信した当該ランダムアクセスリソース選択基準情報とランダムアクセスリソース情報を受信するために用いられる。
【００８４】
好ましくは、当該ダウンリンク周波数範囲内の目的ダウンリンクキャリアは、ネットワーク管理システムまたは当該ネットワーク側機器が当該ネットワーク側機器によってサポートされるダウンリンク周波数範囲内のキャリアのネットワークカバレッジの能力によって配置するものであり、及び／又は、当該ダウンリンク周波数範囲内の目的ダウンリンクキャリアは、ネットワーク管理システムまたは当該ネットワーク側機器が当該ネットワーク側機器によってサポートされるダウンリンク周波数範囲内のキャリアの負荷状態によって配置するものである。
【００８５】
好ましくは、当該情報選択モジュール４０２は、当該端末が当該目的ダウンリンクキャリアにおいてダウンリンク参照信号またはダウンリンク同期信号を受信する第１受信電力を取得し、且つ、当該第１受信電力と当該ランダムアクセスリソース選択基準情報によって当該ランダムアクセスリソース情報から当該目的ランダムアクセスリソース情報を特定するために用いられ、当該目的ランダムアクセスリソース情報は、当該目的アップリンクキャリアの周波数識別子を含み、当該ランダムアクセスリソース選択基準情報は、当該第１受信電力によって特徴付けられる。
【００８６】
好ましくは、当該情報選択モジュール４０２は、当該ランダムアクセスリソース選択基準情報から当該端末が当該少なくとも一つのアップリンク周波数範囲または少なくとも一つのネットワークカバレッジランキングにおいて対応するランダムアクセスリソース選択基準閾値を取得し、且つ、当該第１受信電力および当該ランダムアクセスリソース選択基準閾値によって当該ランダムアクセスリソース情報から当該目的ランダムアクセスリソース情報を特定するために用いられ、当該ランダムアクセスリソース選択基準閾値の数目は、当該アップリンク周波数範囲の数目から「１」を減算した値、または当該アップリンクキャリアの数目から「１」を減算した値、当該ネットワークカバレッジランキングの数目から「１」を減算した値と等しい。
【００８７】
好ましくは、当該情報選択モジュール４０２は、第１プリセット順に従って当該第１受信電力が当該ランダムアクセスリソース選択基準閾値のうちの第１ランダムアクセスリソース選択基準閾値の以上であるか否かを順次に特定し、当該第１受信電力が当該第１ランダムアクセスリソース選択基準閾値の以上であると、当該第１ランダムアクセスリソース選択基準閾値に対応するランダムアクセスリソース情報が当該目的ランダムアクセスリソース情報であることを特定するために用いられ、そのうち、当該第１プリセット順は、当該第１ランダムアクセスリソース選択基準閾値の大きい順（降順）である。
【００８８】
好ましくは、当該情報選択モジュール４０２は、第２プリセット順に従って当該第１受信電力が当該ランダムアクセスリソース選択基準閾値のうちの第１ランダムアクセスリソース選択基準閾値の以下であるか否かを順次に特定し、当該第１受信電力が当該第１ランダムアクセスリソース選択基準閾値の以下であると、当該第１ランダムアクセスリソース選択基準閾値に対応するランダムアクセスリソース情報が当該目的ランダムアクセスリソース情報であることを特定するために用いられ、そのうち、当該第２プリセット順は、当該第１ランダムアクセスリソース選択基準閾値の小さい順（昇順）である。
【００８９】
好ましくは、当該ランダムアクセスリソース選択基準情報は閾値シーケンスを含み、当該閾値シーケンスは複数の閾値要素を含み、各閾値要素は、当該端末が当該ネットワーク側機器によってサポートされる各アップリンク周波数範囲または各アップリンクキャリアまたは各ネットワークカバレッジランキングにおいて対応する電力レベルの全てのレベル組合せと一々対応し、各閾値要素は、該端末がネットワーク側機器によってサポートされるアップリンク周波数範囲の数目またはアップリンクキャリアまたはネットワークカバレッジランキングでの電力レベルが当該ランダムアクセスリソース選択基準閾値において対応する第２ランダムアクセスリソース選択基準閾値を含み、
当該複数の閾値要素の数目は、ＡＢであり、Ａは、ネットワーク側機器によってサポートされるアップリンク周波数範囲またはアップリンクキャリアまたはネットワークカバレッジランキングの数目であり、Ｂは、端末が当該アップリンク周波数範囲またはアップリンクキャリアまたはネットワークカバレッジランキングでの電力レベルの数目であり、各閾値要素に含まれる第２ランダムアクセスリソース選択基準閾値の数目は、当該ネットワーク側機器によってサポートされるアップリンク周波数範囲の数目あるいはアップリンクキャリアまたはネットワークカバレッジランキングの数目から「１」を減算した値であり、
当該情報選択モジュール４０２は、当該端末が当該少なくとも一つのアップリンク周波数範囲または少なくとも一つのアップリンクキャリアまたは少なくとも一つのネットワークカバレッジランキングでの電力レベルを取得し、当該電力レベルによって当該複数の閾値要素から目的閾値要素を特定し、且つ、当該第１受信電力および当該目的閾値要素によって当該ランダムアクセスリソース情報から目的ランダムアクセスリソース情報を特定する。
【００９０】
好ましくは、当該情報選択モジュール４０２は、第３プリセット順に従って当該第１受信電力が当該目的閾値要素のうちの第２ランダムアクセスリソース選択基準閾値の以上であるか否かを順次に特定し、当該第１受信電力が当該第２ランダムアクセスリソース選択基準閾値の以上であると、当該第２ランダムアクセスリソース選択基準閾値に対応するランダムアクセスリソース情報が当該目的ランダムアクセスリソース情報であることを特定するために用いられ、そのうち、当該第３プリセット順は、当該第２ランダムアクセスリソース選択基準閾値の大きい順（降順）である。
【００９１】
好ましくは、当該情報選択モジュール４０２は、第４プリセット順に従って当該第１受信電力が当該目的閾値要素のうちの第２ランダムアクセスリソース選択基準閾値の以下であるか否かを順次に特定し、当該第１受信電力が当該第２ランダムアクセスリソース選択基準閾値の以下であると、当該第２ランダムアクセスリソース選択基準閾値に対応するランダムアクセスリソース情報が当該目的ランダムアクセスリソース情報であることを特定するために用いられ、そのうち、当該第４プリセット順は、当該第２ランダムアクセスリソース選択基準閾値の小さい順（昇順）である。
【００９２】
上記の装置によれば、端末は、ネットワーク側機器によって同報通信されるランダムアクセスリソース選択基準情報とランダムアクセスリソース情報を受信し、且つランダムアクセスリソース情報からランダムアクセスリクエストを発するための目的ランダムアクセスリソース情報を特定することができるので、キャリアアグリゲーションまたはダブルコネクションに関する配置を行う必要はなく、ランダムアクセスの効率を向上した。
【００９３】
なお、説明の簡潔及び便宜を図るために、上記に記述された装置の具体的な動作過程および説明は、前記の方法に関する実施例における対応する過程を参照することができ、ここでこれ以上贅言しない。これは、当業者にとってははっきりと理解できるものである。
【００９４】
図５は、本発明に提供される一種のランダムアクセス装置に係る。図５に示すように、当該ランダムアクセス装置は、ネットワーク側機器に適用され、且つ、
ランダムアクセスリソース選択基準情報とランダムアクセスリソース情報を特定するための情報特定モジュール５０１と、
当該端末が当該ランダムアクセスリソース選択基準情報によって当該ランダムアクセスリソース情報から目的ランダムアクセスリソース情報を特定し、且つ当該目的ランダムアクセスリソース情報によってネットワーク側機器にランダムアクセスリクエストを発するように、当該ランダムアクセスリソース選択基準情報と当該ランダムアクセスリソース情報を同報通信するための情報同報通信モジュール５０２とを、備える。
【００９５】
好ましくは、当該ランダムアクセスリソース情報は、当該ネットワーク側機器によってサポートされる少なくとも一つのアップリンク周波数範囲内のキャリア周波数識別子、または当該少なくとも一つのアップリンク周波数範囲内のアップリンクキャリアの中心周波数を含み、当該ランダムアクセスリソース選択基準情報は、端末が当該少なくとも一つのアップリンク周波数範囲または少なくとも一つのアップリンクキャリアまたは少なくとも一つのネットワークカバレッジランキングにおいて対応するランダムアクセスリソース選択基準閾値を含み、当該ランダムアクセスリソース選択基準閾値は、当該少なくとも一つのアップリンク周波数範囲のカバレッジ境界または少なくとも一つのアップリンクキャリアのカバレッジ境界または少なくとも一つのネットワークカバレッジランキングを表す。
【００９６】
好ましくは、当該情報同報通信モジュール５０２は、当該ネットワーク側機器によってサポートされるダウンリンク周波数範囲内の目的ダウンリンクキャリアにおいて当該ランダムアクセスリソース選択基準情報とランダムアクセスリソース情報を同報通信するために用いられる。
【００９７】
好ましくは、当該ダウンリンク周波数範囲内の目的ダウンリンクキャリアは、ネットワーク管理システムまたは当該ネットワーク側機器が当該ネットワーク側機器によってサポートされるダウンリンク周波数範囲内のキャリアのネットワークカバレッジの能力によって配置するものであり、及び／又は、当該ダウンリンク周波数範囲内の目的ダウンリンクキャリアは、ネットワーク管理システムまたは当該ネットワーク側機器が当該ネットワーク側機器によってサポートされるダウンリンク周波数範囲内のキャリアの負荷状態によって配置するものである。
【００９８】
好ましくは、当該ランダムアクセスリソース選択基準情報に含まれるランダムアクセスリソース選択基準閾値の数目は、
当該ネットワーク側機器によってサポートされるアップリンク周波数範囲の数目から「１」を減算した値、または
当該ネットワーク側機器によってサポートされるアップリンクキャリアの数目から「１」を減算した値、または
当該ネットワーク側機器によってサポートされるネットワークカバレッジランキングの数目から「１」を減算した値である。
【００９９】
好ましくは、当該ランダムアクセスリソース選択基準情報は閾値シーケンスを含み、当該閾値シーケンスは複数の閾値要素を含み、各閾値要素は、当該端末が当該ネットワーク側機器によってサポートされる各アップリンク周波数範囲または各アップリンクキャリアまたは各ネットワークカバレッジランキングにおいて対応する電力レベルの全てのレベル組合せと一々対応し、各閾値要素は、該端末がネットワーク側機器によってサポートされるアップリンク周波数範囲の数目またはアップリンクキャリアまたはネットワークカバレッジランキングでの電力レベルが当該ランダムアクセスリソース選択基準閾値において対応する第２ランダムアクセスリソース選択基準閾値を含み、
当該複数の閾値要素の数目は、ＡＢであり、Ａは、ネットワーク側機器によってサポートされるアップリンク周波数範囲またはアップリンクキャリアまたはネットワークカバレッジランキングの数目であり、Ｂは、端末が当該アップリンク周波数範囲またはアップリンクキャリアまたはネットワークカバレッジランキングでの電力レベルの数目であり、各閾値要素に含まれる第２ランダムアクセスリソース選択基準閾値の数目は、当該ネットワーク側機器によってサポートされるアップリンク周波数範囲の数目あるいはアップリンクキャリアまたはネットワークカバレッジランキングの数目から「１」を減算した値である。
【０１００】
好ましくは、図６に示すように、当該装置は、以下のステップで当該ランダムアクセスリソース選択基準閾値を取得するための閾値取得モジュール５０３をさらに備え、
当該ネットワーク側機器が当該ダウンリンク周波数範囲内の目的ダウンリンクキャリアにおいて参照信号または同期信号を送信する第１送信電力、および当該端末が当該ネットワーク側機器によってサポートされるアップリンク周波数範囲においてアップリンクデータを送信する時の、当該ネットワーク側機器が当該アップリンクデータを復調することに対応する最低受信電力を取得するステップ、
当該端末と当該ネットワーク側機器が当該アップリンク周波数範囲においてのアップリンク経路損失値と、当該端末と当該ネットワーク側機器が当該目的ダウンリンクキャリアにおいてのダウンリンク経路損失値との間の損失差分値を取得するステップ、そのうち、当該アップリンク経路損失値と当該ダウンリンク経路損失値は、当該端末が同じ地理的位置で得られた経路損失値であり、
当該端末が当該少なくとも一つのアップリンク周波数範囲において対応する全ての電力レベルを特定するステップ、及び
当該第１送信電力、当該最低受信電力、当該損失差分値、及び当該全ての電力レベルに基づいて、以下の公式で各々のアップリンク周波数範囲に対応するランダムアクセスリソース情報選択スレッショルド電力を得るステップであり、
ＲＳＲＰｔｈｒｅｓ＝Ｐｔｘ_１＋ＰＬｄｅｌｔａ＋ＰＲＸ_ｉ-ＰＵＬ_ｉ
そのうち、ＲＳＲＰｔｈｒｅｓは、第i個のアップリンク周波数範囲に対応するランダムアクセスリソース情報選択スレッショルド電力であり、Ｐｔｘ_１は当該第１送信電力であり、ＰＬｄｅｌｔａは、当該端末と当該ネットワーク側機器が第i個のアップリンク目的キャリアにおいてのアップリンク経路損失値と、当該端末と当該ネットワーク側機器が当該目的ダウンリンクキャリアにおいてのダウンリンク経路損失値との間の損失差分値であり、ＰＲＸ_ｉは、当該ネットワーク側機器によってサポートされる第i個のアップリンク目的キャリアにおいてアップリンクデータを送信する時の、当該ネットワーク側機器が当該アップリンクデータを復調することに対応する最低受信電力であり、ＰＵＬ_ｉは、当該第i個のアップリンク目的キャリアにおける全ての電力レベル中のいずれかの電力レベルに対応する最大送信電力である。
【０１０１】
上記の装置によれば、ネットワーク側機器はランダムアクセスリソース選択基準情報とランダムアクセスリソース情報を同報通信して、端末は当該ランダムアクセスリソース選択基準情報と当該ランダムアクセスリソース情報を受信し、且つランダムアクセスリソース情報からランダムアクセスリクエストを発するための目的ランダムアクセスリソース情報を特定することができるので、キャリアアグリゲーションまたはダブルコネクションに関する配置を行う必要はなく、ランダムアクセスの効率を向上した。
【０１０２】
なお、説明の簡潔及び便宜を図るために、上記に記述された装置の具体的な動作過程および説明は、前記の方法に関する実施例における対応する過程を参照することができ、ここでこれ以上贅言しない。これは、当業者にとってははっきりと理解できるものである。
【０１０３】
図７は、本発明の一実施例に提供される一種のランダムアクセス装置のブロック図である。図７に示すように、当該装置は、ネットワーク側機器または端末に適用されることができ、当該装置７００は、プロセッサー７０１、メモリー７０２、マルチメディアユニット７０３、入出力（Ｉ/Ｏ）インターフェース７０４、及び通信ユニット７０５を備えることができる。
【０１０４】
そのうち、プロセッサー７０１は、当該装置７００の全体の操作を制御して、上記のランダムアクセス方法の全てまたは一部のステップを達成するために用いられる。メモリー７０２は、各種類のデータを記憶して当該装置７００における操作をサッポートするために用いられ、これらのデータは、当該装置７００において操作される如何なるアプリケーションまたは方法の命令、及びアプリケーションに係るデータ、例えば連絡者のデータ、授受メッセージ、ピクチャ、オーディオ、ビデオなどを含んでもよい。
【０１０５】
当該メモリー７０２は、如何なるタイプの揮発性または不揮発性の記憶端末デバイス或いはそれらの組合せによって構成されることができ、例えば、スタティックメモリー（Ｓｔａｔｉｃ  Ｒａｎｄｏｍ  Ａｃｃｅｓｓ  Ｍｅｍｏｒｙ、「ＳＲＡＭ」と略称する）、電気的消去可能プログラマブル読み取り専用メモリー(Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ、「ＥＥＰＲＯＭ」と略称する）、消去可能プログラマブル読み取り専用メモリー(Ｅｒａｓａｂｌｅ  Ｐｒｏｇｒａｍｍａｂｌｅ  Ｒｅａｄ−Ｏｎｌｙ  Ｍｅｍｏｒｙ、「ＥＰＲＯＭ」と略称する）、プログラマブル読み取り専用メモリー(Ｐｒｏｇｒａｍｍａｂｌｅ  Ｒｅａｄ−Ｏｎｌｙ  Ｍｅｍｏｒｙ、「ＰＲＯＭ」と略称する）、読み取り専用メモリー(Ｒｅａｄ−Ｏｎｌｙ  Ｍｅｍｏｒｙ、「ＲＯＭ」と略称する）、磁気メモリー、フラッシュメモリー、ディスク、またはＣＤ。
マルチメディアユニット７０３は、スクリーンとオーディオユニットを含むことができる。そのうち、スクリーンは、タッチスクリーンであってもよく、オーディオユニットは、音響信号を出力および／または入力するために用いられる。例えば、オーディオユニットは、外部の音響信号を受信するための一つのマイクを備えることができ、受信された音響信号は、さらにメモリー７０２に記憶され、または通信ユニット７０５によって送信されてもよい。オーディオユニットは、音響信号を出力するための少なくとも一つのスピーカーをさらに備える。
Ｉ/Ｏインターフェース７０４は、プロセッサー７０１とその他のインターフェースモジュールとの間にインターフェースを提供し、上記のその他のインターフェースモジュールは、キーボード、マウス、ボタンなどであってもよく、これらのボタンは、仮想ボタンまたは物理ボタンであってもよい。
通信ユニット７０５は、当該装置７００がその他の端末装置と有線通信または無線通信するために用いられる。無線通信としては、例えば、Ｗｉ−Ｆｉ、ブルートゥース、近距離無線通信（Ｎｅａｒ  Ｆｉｅｌｄ  Ｃｏｍｍｕｎｉｃａｔｉｏｎ、「ＮＦＣ」と略称する）、２Ｇ、３Ｇ、４Ｇ、またはそれらのうちの一種または多種の組合せであるので、対応する通信ユニット７０５は、Ｗｉ−Ｆｉモジュール、ブルートゥースモジュール、ＮＦＣモジュールを含むことができる。
【０１０６】
一つの例示的な実施例において、装置７００は、一つまたは複数の特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、「ＡＳＩＣ」と略称する）、デジタルシグナルプロセッサ（Ｄｉｇｉｔａｌ  Ｓｉｇｎａｌ  Ｐｒｏｃｅｓｓｏｒ、「ＤＳＰ」と略称する）、デジタル信号処理装置（Ｄｉｇｉｔａｌ  Ｓｉｇｎａｌ  Ｐｒｏｃｅｓｓｉｎｇ  Ｄｅｖｉｃｅ、「ＤＳＰＤ」と略称する）、プログラマブルロジックデバイス（Ｐｒｏｇｒａｍｍａｂｌｅ  Ｌｏｇｉｃ  Ｄｅｖｉｃｅ、「ＰＬＤ」と略称する）、フィールドプログラマブルゲートアレイ（Ｆｉｅｌｄ  Ｐｒｏｇｒａｍｍａｂｌｅ  Ｇａｔｅ  Ａｒｒａｙ、「ＦＰＧＡ」と略称する）、コントローラ、マイクロコントローラ、マイクロプロセッサまたはその他の電子部品によって実現されることができ、上記のランダムアクセス方法を実行するために用いられる。
【０１０７】
本発明の実施例は、さらに一種の非一過性コンピュータ可読記憶媒体１を提供する。当該非一過性コンピュータ可読記憶媒体１には、一種のランダムアクセス方法を実行するための一つまたは複数のプログラムが含まれ、当該方法では、ネットワーク側機器によって同報通信されるランダムアクセスリソース選択基準情報とランダムアクセスリソース情報を受信することと、前記ランダムアクセスリソース情報から前記ランダムアクセスリソース選択基準情報に対応する目的ランダムアクセスリソース情報を特定することと、前記目的ランダムアクセスリソース情報によって前記ネットワーク側機器にランダムアクセスリクエストを発することと、を含む。
【０１０８】
好ましくは、前記ランダムアクセスリソース情報は、前記ネットワーク側機器によってサポートされる少なくとも一つのアップリンク周波数範囲内のキャリア周波数識別子、または前記少なくとも一つのアップリンク周波数範囲内のアップリンクキャリアの中心周波数を含み、前記ランダムアクセスリソース選択基準情報は、端末が前記少なくとも一つのアップリンク周波数範囲または少なくとも一つのアップリンクキャリアまたは少なくとも一つのネットワークカバレッジランキングにおいて対応するランダムアクセスリソース選択基準閾値を含み、前記ランダムアクセスリソース選択基準閾値は、前記少なくとも一つのアップリンク周波数範囲のカバレッジ境界または少なくとも一つのアップリンクキャリアのカバレッジ境界または少なくとも一つのネットワークカバレッジランキングを表す。
【０１０９】
好ましくは、前記のネットワーク側機器によって同報通信されるランダムアクセスリソース選択基準情報とランダムアクセスリソース情報を受信することは、前記ネットワーク側機器が自体にサポートされるダウンリンク周波数範囲内の目的ダウンリンクキャリアにおいて同報通信する前記ランダムアクセスリソース選択基準情報とランダムアクセスリソース情報を受信することを含む。
【０１１０】
好ましくは、前記ダウンリンク周波数範囲内の目的ダウンリンクキャリアは、ネットワーク管理システムまたは前記ネットワーク側機器が前記ネットワーク側機器によってサポートされるダウンリンク周波数範囲内のキャリアのネットワークカバレッジの能力によって配置するものであり、及び／又は、前記ダウンリンク周波数範囲内の目的ダウンリンクキャリアは、ネットワーク管理システムまたは前記ネットワーク側機器が前記ネットワーク側機器によってサポートされるダウンリンク周波数範囲内のキャリアの負荷状態によって配置するものである。
【０１１１】
好ましくは、前記の前記ランダムアクセスリソース情報から前記ランダムアクセスリソース選択基準情報に対応する目的ランダムアクセスリソース情報を特定することは、前記端末が前記目的ダウンリンクキャリアにおいてダウンリンク参照信号またはダウンリンク同期信号を受信する第１受信電力を取得することと、前記第１受信電力と前記ランダムアクセスリソース選択基準情報によって前記ランダムアクセスリソース情報から前記目的ランダムアクセスリソース情報を特定することと、を含み、前記目的ランダムアクセスリソース情報は、前記目的アップリンクキャリアの周波数識別子を含み、前記ランダムアクセスリソース選択基準情報は、前記第１受信電力によって特徴付けられる。
【０１１２】
好ましくは、前記の前記第１受信電力と前記ランダムアクセスリソース選択基準情報によって前記ランダムアクセスリソース情報から前記目的ランダムアクセスリソース情報を特定することは、前記ランダムアクセスリソース選択基準情報から前記端末が前記少なくとも一つのアップリンク周波数範囲または少なくとも一つのネットワークカバレッジランキングにおいて対応するランダムアクセスリソース選択基準閾値を取得することと、前記第１受信電力および前記ランダムアクセスリソース選択基準閾値によって前記ランダムアクセスリソース情報から前記目的ランダムアクセスリソース情報を特定することと、を含み、前記ランダムアクセスリソース選択基準閾値の数目は、前記アップリンク周波数範囲の数目から「１」を減算した値、または前記アップリンクキャリアの数目から「１」を減算した値、または前記ネットワークカバレッジランキングの数目から「１」を減算した値と等しい。
【０１１３】
好ましくは、前記の前記第１受信電力と前記ランダムアクセスリソース選択基準閾値によって前記ランダムアクセスリソース情報から前記目的ランダムアクセスリソース情報を特定することは、第１プリセット順に従って前記第１受信電力が前記ランダムアクセスリソース選択基準閾値のうちの第１ランダムアクセスリソース選択基準閾値の以上であるか否かを順次に特定し、前記第１受信電力が前記第１ランダムアクセスリソース選択基準閾値の以上であると、前記第１ランダムアクセスリソース選択基準閾値に対応するランダムアクセスリソース情報が前記目的ランダムアクセスリソース情報であることを特定することを含み、そのうち、前記第１プリセット順は、前記第１ランダムアクセスリソース選択基準閾値の大きい順（降順）である。
【０１１４】
好ましくは、前記の前記第１受信電力と前記ランダムアクセスリソース選択基準閾値によって前記ランダムアクセスリソース情報から前記目的ランダムアクセスリソース情報を特定することは、第２プリセット順に従って前記第１受信電力が前記ランダムアクセスリソース選択基準閾値のうちの第１ランダムアクセスリソース選択基準閾値の以下であるか否かを順次に特定し、前記第１受信電力が前記第１ランダムアクセスリソース選択基準閾値の以下であると、前記第１ランダムアクセスリソース選択基準閾値に対応するランダムアクセスリソース情報が前記目的ランダムアクセスリソース情報であることを特定することを含み、そのうち、前記第２プリセット順は、前記第１ランダムアクセスリソース選択基準閾値の小さい順（昇順）である。
【０１１５】
好ましくは、前記ランダムアクセスリソース選択基準情報は閾値シーケンスを含み、前記閾値シーケンスは複数の閾値要素を含み、各閾値要素は、前記端末が前記ネットワーク側機器によってサポートされる各アップリンク周波数範囲または各アップリンクキャリアまたは各ネットワークカバレッジランキングにおいて対応する電力レベルの全てのレベル組合せと一々対応し、各閾値要素は、前記端末がネットワーク側機器によってサポートされるアップリンク周波数範囲の数目またはアップリンクキャリアまたはネットワークカバレッジランキングでの電力レベルが前記ランダムアクセスリソース選択基準閾値において対応する第２ランダムアクセスリソース選択基準閾値を含み、
前記複数の閾値要素の数目は、ＡＢであり、Ａは、ネットワーク側機器によってサポートされるアップリンク周波数範囲またはアップリンクキャリアまたはネットワークカバレッジランキングの数目であり、Ｂは、端末が前記アップリンク周波数範囲またはアップリンクキャリアまたはネットワークカバレッジランキングでの電力レベルの数目であり、各閾値要素に含まれる第２ランダムアクセスリソース選択基準閾値の数目は、前記ネットワーク側機器によってサポートされるアップリンク周波数範囲の数目あるいはアップリンクキャリアまたはネットワークカバレッジランキングの数目から「１」を減算した値であり、
前記の前記第１受信電力と前記ランダムアクセスリソース選択基準閾値によって前記ランダムアクセスリソース情報から前記目的ランダムアクセスリソース情報を特定することは、前記端末が前記少なくとも一つのアップリンク周波数範囲または少なくとも一つのアップリンクキャリアまたは少なくとも一つのネットワークカバレッジランキングでの電力レベルを取得することと、前記電力レベルによって前記複数の閾値要素から目的閾値要素を特定することと、前記第１受信電力および前記目的閾値要素によって前記ランダムアクセスリソース情報から目的ランダムアクセスリソース情報を特定することと、を含む。
【０１１６】
好ましくは、前記の前記第１受信電力と前記目的閾値要素によって前記ランダムアクセスリソース情報から前記目的ランダムアクセスリソース情報を特定することは、第３プリセット順に従って前記第１受信電力が前記目的閾値要素のうちの第２ランダムアクセスリソース選択基準閾値の以上であるか否かを順次に特定し、前記第１受信電力が前記第２ランダムアクセスリソース選択基準閾値の以上であると、前記第２ランダムアクセスリソース選択基準閾値に対応するランダムアクセスリソース情報が前記目的ランダムアクセスリソース情報であることを特定することを含み、そのうち、前記第３プリセット順は、前記第２ランダムアクセスリソース選択基準閾値の大きい順（降順）である。
【０１１７】
好ましくは、前記の前記第１受信電力と前記目的閾値要素によって前記ランダムアクセスリソース情報から前記目的ランダムアクセスリソース情報を特定することは、第４プリセット順に従って前記第１受信電力が前記目的閾値要素のうちの第２ランダムアクセスリソース選択基準閾値の以下であるか否かを順次に特定し、前記第１受信電力が前記第２ランダムアクセスリソース選択基準閾値の以下であると、前記第２ランダムアクセスリソース選択基準閾値に対応するランダムアクセスリソース情報が前記目的ランダムアクセスリソース情報であることを特定することを含み、そのうち、前記第４プリセット順は、前記第２ランダムアクセスリソース選択基準閾値の小さい順（昇順）である。
【０１１８】
本発明の実施例は、さらに一種の端末２を提供する。当該端末２は、上記の非一過性コンピュータ可読記憶媒体１と、上記の非一過性コンピュータ可読記憶媒体１におけるプログラムを実行するための一つまたは複数のプロセッサーと、を備える。
【０１１９】
本発明の実施例は、さらに一種の非一過性コンピュータ可読記憶媒体３を提供する。当該非一過性コンピュータ可読記憶媒体３には、一種のランダムアクセ方法を実行するための一つまたは複数のプログラムが含まれ、当該方法では、ランダムアクセスリソース選択基準情報とランダムアクセスリソース情報を受信することと、前記端末が前記ランダムアクセスリソース選択基準情報によって前記ランダムアクセスリソース情報から目的ランダムアクセスリソース情報を特定し、且つ前記目的ランダムアクセスリソース情報によってネットワーク側機器にランダムアクセスリクエストを発するように、前記ランダムアクセスリソース選択基準情報と前記ランダムアクセスリソース情報を同報通信することと、を含む。
【０１２０】
好ましくは、前記の前記第１受信電力と前記目的閾値要素によって前記ランダムアクセスリソース情報から前記目的ランダムアクセスリソース情報を特定することは、第４プリセット順に従って前記第１受信電力が前記目的閾値要素のうちの第２ランダムアクセスリソース選択基準閾値の以下であるか否かを順次に特定し、前記第１受信電力が前記第２ランダムアクセスリソース選択基準閾値の以下であると、前記第２ランダムアクセスリソース選択基準閾値に対応するランダムアクセスリソース情報が前記目的ランダムアクセスリソース情報であることを特定することを含み、そのうち、前記第４プリセット順は、前記第２ランダムアクセスリソース選択基準閾値の小さい順（昇順）である。
【０１２１】
好ましくは、前記の前記ランダムアクセスリソース選択基準情報と前記ランダムアクセスリソース情報を同報通信することは、前記ネットワーク側機器によってサポートされるダウンリンク周波数範囲内の目的ダウンリンクキャリアにおいて前記ランダムアクセスリソース選択基準情報とランダムアクセスリソース情報を同報通信することを含む。
【０１２２】
好ましくは、前記ダウンリンク周波数範囲内の目的ダウンリンクキャリアは、ネットワーク管理システムまたは前記ネットワーク側機器が前記ネットワーク側機器によってサポートされるダウンリンク周波数範囲内のキャリアのネットワークカバレッジの能力によって配置するものであり、及び／又は、前記ダウンリンク周波数範囲内の目的ダウンリンクキャリアは、ネットワーク管理システムまたは前記ネットワーク側機器が前記ネットワーク側機器によってサポートされるダウンリンク周波数範囲内のキャリアの負荷状態によって配置するものである。
【０１２３】
好ましくは、前記ランダムアクセスリソース選択基準情報に含まれるランダムアクセスリソース選択基準閾値の数目は、
前記ネットワーク側機器によってサポートされるアップリンク周波数範囲の数目から「１」を減算した値、または
前記ネットワーク側機器によってサポートされるアップリンクキャリアの数目から「１」を減算した値、または
前記ネットワーク側機器によってサポートされるネットワークカバレッジランキングの数目から「１」を減算した値である。
【０１２４】
好ましくは、前記ランダムアクセスリソース選択基準情報は閾値シーケンスを含み、前記閾値シーケンスは複数の閾値要素を含み、各閾値要素は、前記端末が前記ネットワーク側機器によってサポートされる各アップリンク周波数範囲または各アップリンクキャリアまたは各ネットワークカバレッジランキングにおいて対応する電力レベルの全てのレベル組合せと一々対応し、各閾値要素は、前記端末がネットワーク側機器によってサポートされるアップリンク周波数範囲の数目またはアップリンクキャリアまたはネットワークカバレッジランキングでの電力レベルが前記ランダムアクセスリソース選択基準閾値において対応する第２ランダムアクセスリソース選択基準閾値を含み、
前記複数の閾値要素の数目は、ＡＢであり、Ａは、ネットワーク側機器によってサポートされるアップリンク周波数範囲またはアップリンクキャリアまたはネットワークカバレッジランキングの数目であり、Ｂは、端末が前記アップリンク周波数範囲またはアップリンクキャリアまたはネットワークカバレッジランキングでの電力レベルの数目であり、各閾値要素に含まれる第２ランダムアクセスリソース選択基準閾値の数目は、前記ネットワーク側機器によってサポートされるアップリンク周波数範囲の数目あるいはアップリンクキャリアまたはネットワークカバレッジランキングの数目から「１」を減算した値である。
【０１２５】
好ましくは、前記ランダムアクセスリソース選択基準閾値は、以下のステップで取得され、即ち、
前記ネットワーク側機器が前記ダウンリンク周波数範囲内の目的ダウンリンクキャリアにおいて前記参照信号または同期信号を送信する第１送信電力、および前記端末が前記ネットワーク側機器によってサポートされるアップリンク周波数範囲においてアップリンクデータを送信する時の、前記ネットワーク側機器が前記アップリンクデータを復調することに対応する最低受信電力を取得するステップ、
前記端末と前記ネットワーク側機器が前記アップリンク周波数範囲においてのアップリンク経路損失値と、前記端末と前記ネットワーク側機器が前記目的ダウンリンクキャリアにおいてのダウンリンク経路損失値との間の損失差分値を取得するステップ、そのうち、前記アップリンク経路損失値と前記ダウンリンク経路損失値は、前記端末が同じ地理的位置で得られた経路損失値であり、
前記端末が前記少なくとも一つのアップリンク周波数範囲において対応する全ての電力レベルを特定するステップ、及び
前記第１送信電力、前記最低受信電力、前記損失差分値、及び前記全ての電力レベルに基づいて、以下の公式で各々のアップリンク周波数範囲に対応するランダムアクセスリソース情報選択スレッショルド電力を得るステップであり、
ＲＳＲＰｔｈｒｅｓ＝Ｐｔｘ_１＋ＰＬｄｅｌｔａ＋ＰＲＸ_ｉ-ＰＵＬ_ｉ
そのうち、ＲＳＲＰｔｈｒｅｓは、第i個のアップリンク周波数範囲に対応するランダムアクセスリソース情報選択スレッショルド電力であり、Ｐｔｘ_１は前記第１送信電力であり、ＰＬｄｅｌｔａは、前記端末と前記ネットワーク側機器が第i個のアップリンク目的キャリアにおいてのアップリンク経路損失値と、前記端末と前記ネットワーク側機器が前記目的ダウンリンクキャリアにおいてのダウンリンク経路損失値との間の損失差分値であり、ＰＲＸ_ｉは、前記ネットワーク側機器によってサポートされる第i個のアップリンク目的キャリアおいてアップリンクデータを送信する時の、前記ネットワーク側機器が前記アップリンクデータを復調することに対応する最低受信電力であり、ＰＵＬ_ｉは、前記第i個のアップリンク目的キャリアにおける全ての電力レベル中のいずれかの電力レベルに対応する最大送信電力である。
【０１２６】
本発明の実施例は、さらに一種のネットワーク側機器４を提供する。当該ネットワーク側機器４は、上記の非一過性コンピュータ可読記憶媒体３と、上記の非一過性コンピュータ可読記憶媒体３におけるプログラムを実行するための一つまたは複数のプロセッサーと、を備える。
【０１２７】
以上では、図面を結合して本発明の好ましい実施形態を詳細に記述しましたが、本発明は、上記実施形態における具体的な細部に限定されていなく、本発明の技術的構想範囲内に本発明の技術方案に対して多種の簡単な変形を行うことができ、これらの簡単な変形は、いずれも本発明の保護範囲に含まれるべきである。
【０１２８】
なお、上記の具体的な実施形態において説明した各々の具体的な技術特徴は、矛盾がない場合、如何なる適切な方式で組み合わせることができ、不要な重複を避けるために、本発明では各種の使用可能な組合せ方式に対して別に説明しない。
【０１２９】
また、本発明の各種の異なる実施形態同士は、互いに任意に組み合わせることもでき、本発明の精神を違反しなければ、同様に本発明の開示内容と見なされるべきである。
【図１】
0006888115.tif 000002
【図２】
0006888115.tif 000003
【図３】
0006888115.tif 000004
【図４】
0006888115.tif 000005
【図５】
0006888115.tif 000006
【図６】
0006888115.tif 000007
【図７】
0006888115.tif 000008